(57)【特許請求の範囲】
【請求項１】
板金製の外箱内に仕切板を配置し、仕切板で仕切られた機械室に送風ファンを収容すると共に、仕切板で仕切られた熱交換器室に室内熱交換器を収容し、室内熱交換器の下端に発泡スチロール製のドレンパンを配置し、ドレンパンに溜まるドレン水を排水するドレンポンプを備えた空気調和装置において、
前記仕切板にドレンポンプの点検蓋を備え、
この点検蓋に形成した係止片部と、前記仕切板に形成したフランジとの間に前記ドレンパンを挟持したことを特徴とする空気調和装置。
【請求項２】
前記ドレンパンに補強部材をモールドし、ドレンパンの両端から突出する補強部材のドレンパン取付部に取付孔を形成し、この取付孔にビスを通して前記ドレンパンを外箱に固定したことを特徴とする請求項１記載の空気調和装置。
【発明の詳細な説明】
【技術分野】
【０００１】
本発明は、空気調和装置に関し、特に、ドレンパンの強度及び取付強度を大きくする取付構造に関する。
【背景技術】
【０００２】
従来、板金製の外箱内に仕切板を配置し、仕切板で仕切られた機械室に送風ファンを収容すると共に、仕切板で仕切られた熱交換器室に室内熱交換器を収容し、この板金製の外箱の下端には、天井材に取り付けられて被調和室に臨む化粧パネルを配置した空気調和装置が知られている（例えば、特許文献１参照）。
【０００３】
上述の室内熱交換器の下側には、空気を冷却するときに生じる結露水を受けるために、中央部に窪み（ドレン溜まり）を有する皿形状に形成されたドレンパンが取り付けられている。このドレンパンは、発泡樹脂材で一体成形されており、室内熱交換器の形状に合わせて幅方向に長い形状を有している。
【特許文献１】特開平１１−１５１８４７号公報
【発明の開示】
【発明が解決しようとする課題】
【０００４】
上記ドレンパンは、発泡樹脂製であり長手方向の両端が外箱とねじで固定されていたので、長手方向の中央部に応力集中すると不都合が生じた。例えば、倉庫でのストック時や車両での搬送時、あるいは建築現場でのストック時に、化粧パネルを外した形態でダンボール箱に収納されて積み上げられることがあるので、上に詰まれる空気調和装置の加重が下の空気調和装置のダンボールに加わり、このダンボールの上面が凹むとドレンパンの下面の長手方向の中央部に加重が加わってドレンパンが長手方向の中央部から曲がる虞があった。
また、化粧パネルを外した形態の空気調和装置を天井吊り込みする際に作業者がついついドレンパンの下面の長手方向の中央部に手を当てて持ち上げてしまうときもドレンパンが長手方向の中央部から曲がる等の虞があった。
上記ドレンパンは、発泡樹脂製であり、成形時に長手方向に対して反りが生じて個々のドレンパンの外形寸法にばらつきが生じてしまうことがあった。
【０００５】
本発明の目的は、上述した点に鑑みてなされたものであり、ドレンパンの下面中央部に外部応力が作用しても曲がり等の破損を生じ難く、かつドレンパンの成形時の反りを少なくすることができる空気調和装置を提供することにある。
【課題を解決するための手段】
【０００６】
上記課題を解決するために、本発明の空気調和装置は、板金製の外箱内に仕切板を配置し、仕切板で仕切られた機械室に送風ファンを収容すると共に、仕切板で仕切られた熱交換器室に室内熱交換器を収容し、室内熱交換器の下端に発泡スチロール製のドレンパンを配置し、ドレンパンに溜まるドレン水を排水するドレンポンプを備えた空気調和装置において、前記仕切板にドレンポンプの点検蓋を備え、この点検蓋に形成した係止片部と、前記仕切板に形成したフランジとの間に前記ドレンパンを挟持したことを特徴とする。
【０００７】
上記特徴の構成によれば、発泡樹脂で成形されるドレンパン本体部を仕切板のフランジと、点検蓋に形成した係止片部とで受けているので、ドレンパンの下面に外力が作用したときに、ドレンパン本体部には、下面側が圧縮応力、上面側が引っ張り応力となる曲げ応力が生じ難く、大きな外力に耐えてドレンパンの曲がりを回避することができる。
【０００８】
上記特徴の構成において、前記ドレンパンに補強部材をモールドし、ドレンパンの両端から突出する補強部材のドレンパン取付部に取付孔を形成し、この取付孔にビスを通して前記ドレンパンを外箱に固定することが好ましい。
【０００９】
これによれば、ドレンパンの下面に外力が作用したとき、ドレンパン本体部には、下面側が圧縮応力、上面側が引っ張り応力となる曲げ応力が生じるが、ドレンパン本体部にモールドした補強部材がこの曲げ応力の負担に耐えることができるので、ドレンパンの曲がりを生じ難くすることができる。また、補強部材をモールドしたため、ドレンパンの成形時の反りを少なくすることができる。そして、補強部材の両端から突出する取付部に取付孔を有するので、ドレンパンを外箱に容易に取り付けることができる。
【発明の効果】
【００１０】
本発明によれば、ドレンパンの下面に外部応力が作用しても曲がりを生じ難く、かつドレンパンの成形時の反りを少なくすることができる。
【発明を実施するための最良の形態】
【００１１】
以下に、本発明の一実施形態を図面を参照して説明する。
【００１２】
図１は、本発明にかかる天井空間に吊り下げ固定される空気調和装置を下から視上げた斜視図である。図２は、空気調和装置の縦断正面図である。
図２に示すように、この空気調和装置１０は、板金製の外箱１１内を仕切板１８により送風ファン１７を収容する機械室１６と室内熱交換器２０を収容する熱交換器室１５とに仕切り、熱交換器室１５の底部に前記室内熱交換器２０を載置するドレンパン４２を配置するとともに、前記熱交換器室１５の一次空気側に前記ドレンパン４２に溜まるドレン水を排水するドレンポンプ４０を配置した構成である。
【００１３】
この実施形態の空気調和装置１０は、仕切板１８にドレンパン４２の機械室寄りの上面を当接するフランジ１８ｅを設けて、ドレンパン４２にモールドした係止用金具４５，４６を用いてフランジ１８ｅに対してねじで固定し、かつ仕切板１８に設けた点検口１８ｈを閉じる蓋１９に形成した係止片部１９ａでドレンパン４２の下面を支えることを特徴とする。
【００１４】
以下、詳細に説明する。図１及び図２に示すように、この空気調和装置１０は、下端が開いている箱形の板金製であり天井スラブ５０に吊られる外箱１１を備え、この外箱１１内を板金製の仕切板１８で機械室１６と熱交換器室１５とに仕切り、熱交換器室１５に発泡樹脂製（発泡スチロール製）の内部断熱材２１を配置し、この内部断熱材２１の下端に当接する発泡樹脂製（発泡スチロール製）で防水コートしたドレンパン４２を設け、このドレンパン４２に載置され上面を内部断熱材２１に密着するように前記室内熱交換器２０を配置し、吸込口１２と吹出口１３とを有し前記外箱１１の下端開口に被せて固定される化粧パネル１４と備えている。図２中、符号２７は電動膨張弁である。
【００１５】
この空気調和装置１０は、送風ファン１７を駆動することにより、化粧パネル１４の吸込口１２から室内空気を吸い込み、この室内空気を熱交換器室１５の一次空気側１５ａへ給送し室内熱交換器２０のフィン間の隙間を通流させて熱交換させ、熱交換した空気を吹出口１３から吹き出す、いわゆる一方向吹出型の空気調和装置である。
【００１６】
外箱１１は、吹出口１３側の前面壁と、吸込口１２側の後面壁と、左右の側面壁と、上面壁とからなり、下端が開いている箱形であり、左右の側面壁に吊金具３０が設けられていて、この吊金具３０に天井スラブ５０から垂下した吊ボルトの下端を通してナットを締め付けることで、天井内空間に収容された状態に吊られる。前記箱形の発泡樹脂製内部断熱材２１は、板金製の外箱１１の熱交換器室１５の内面に密着して設けられている。
【００１７】
図１に示すように、化粧パネル１４は、外箱１１の下端開口に被せてねじで固定されている。この化粧パネル１４を取り外すと、図３に示すように、外箱１１の機械室１６内が露出するとともにドレンパン４２が露出する状態になり、さらにドレンパン４２を取り外すと、図４に示すように、室内熱交換器２０が露出する状態になる。
化粧パネル１４は、格子状の複数の開口を有するグリル２２を吸込口１２へ取り外し可能に備え、グリル２２の上にフィルタ材２３を交換可能に備えている。また、化粧パネル１４の吹出口１３には、この吹出口１３の幅方向の垂直断面内を揺動可能であるように合成樹脂製風向変更板３４を備え、この風向変更板３４をマイクロモータ３５により傾き調整できて風向変更できるように構成されている。
マイクロモータ３５の駆動及び回転方向はリモートコントローラからの送信信号を受信し、電装箱２８へ電波を送って制御できるとともに、室内壁面に設けられる制御装置（図示しない）のボタンを操作することによっても制御されるように構成されるものである。
【００１８】
図２に示すように、外箱１１内を室内熱交換器２０と送風ファン１７との間を仕切っている板金製の仕切板１８には開口１８ｄを有しこの開口１８ｄに送風ファン１７の送風口１７ａが差込み接続されている。送風ファン１７は、シロッコファンを用いることが好ましくモータ３６により回転される。図４に示すように、モータ３６は、軸が両側に伸びていて軸受５２が被嵌していてこの軸受５２が外箱１１の上面部及び板金製仕切板１８より設けられたモータブラケット３７に支持されている。
モータ３６の駆動は、リモートコントローラからの送信信号を受信し、電装箱２８へ電波を送って制御できるとともに、室内壁面に設けられる制御装置（図示しない）のボタンを操作することによっても制御されるように構成されるものである。
【００１９】
図２に示すように、室内熱交換器２０は、上面を内部断熱材２１の上面壁とほぼ密着し、下面を発泡樹脂製ドレンパン４２の上に載置され一次空気側１５ａと二次空気側１５ｂとを仕切るように構成されている。室内熱交換器２０は、冷媒配管取出部２９ａ、２９ｂを備えている。
室内熱交換器２０は、冷房運転時に放熱フィン、その他の温度差を生じる部分に結露する。この結露は、防水コートした発泡樹脂製のドレンパン４２に受けられる。図２に示すように、ドレンの排水手段として、仕切板１８に設けられたブラケット３８に液面センサ３９とドレンポンプ４０が取り付けられ、液面センサ３９とドレンポンプ４０はドレンパン４２のドレン溜まりの一番低い位置に位置している。ドレンポンプ４０は、ドレンが溜まると作動して、ドレン水を汲み上げて排水口４１より排出するようになっている。液面センサ（フロートスイッチ）３９は、ドレンポンプ４０をＯＮ／ＯＦＦさせるものでなく、ドレンポンプ４０が故障等になり、ドレン水がドレンパン４２の許容レベル一杯に溜まったときを検知して信号を出力し、電装箱２８へ信号を送って空気調和装置１０の運転を止め、警告を発する等のための非常手段である。
【００２０】
図７は、機械室と熱交換器室とを仕切る板金製の仕切板１８を逆さにして熱交換器室側から見た斜視図である。図８は、外箱１１内の、仕切板１８の取り付け状態を見上げた図である。
この実施形態では、前記仕切板１８を、冷媒配管取出側で前記送風ファン１７の側へ段差状に突出するように折り曲げ形成し、この段差部の正面壁１８ａと段差壁１８ｂに台座板３８を支持させてねじで固定し、この台座板３８に前記ドレンポンプ４０を取り付けてある。この構成によれば、送風ファン１７の吸い込み側の空間を吸い込みに影響を与えないように機械室１６に張り出す小空間を利用することができて、仕切板１８に平面方向に見て段差部を設けることができ、この段差部の正面壁１８ａと段差壁１８ｂに二つのブラケットを設けて（図示しない）これに台座板３８を支持させてねじ等で固定すると、台座板３８を簡便にかつ低コストで設けることができ、また台座板３８を強固に設けることができてドレンポンプ４０をしっかりと固定でき、外箱１１の機械室・熱交換器室方向の寸法を小さくすることができる。
この実施形態の空気調和装置１０は、図７に示すように、仕切板１８にドレンポンプ用の点検口１８ｈを設けかつこの点検口１８ｈを機械室側から閉じる蓋１９を設け、前記仕切板１８の下端に前記ドレンパン４２の機械室寄りの上面を当接するフランジ１８ｅを設ける。
【００２１】
図５は、ドレンパン４２を斜め上方から見た斜視図であり、図６は、ドレンパン４２の内部に一体成形される補強部材４４を斜め上方から見た斜視図である。このドレンパン４２は、発泡樹脂で成形された本体部４３と、この本体部４３にモールドされた補強部材４４と、ドレンパン４２の補強部材４４が設けられた長辺と反対側の側面に設けられたドレンパン４２を筐体１１側に取り付けるための取付金具４５，４６とからなる。
図５は、ドレンパン４２を斜め上方から見た斜視図であり、図６は、ドレンパン４２の内部に一体成形される補強部材４４を斜め上方から見た斜視図である。このドレンパン４２は、発泡樹脂で成形された本体部４３と、この本体部４３にモールドされた補強部材４４と、ドレンパン４２の補強部材４４が設けられた長辺と反対側の側面に設けられたドレンパン４２を筐体１１側に取り付けるための取付金具４５，４６とからなる。
係止用金具４５，４６は、本体部４３ａの機械室寄りの上面部分にモールドされていて、ドレンパン４２より張り出した部分に取付孔４５ａ，４６ａを形成し、この取付孔４５ａ，４６ａに対応して、図７に示すように、前記仕切板１８にねじ孔１８ｆ，１８ｇを設け、図９に示すように、フランジ１８ｅに前記ドレンパン４２の機械室寄りの上面を当接してドレンパン取付ねじ５４をドレンパン４２の下方から前記取付孔４５ａ，４６ａに通して前記ねじ孔１８ｆ，１８ｇに螺合するとともに、図７に示すように、前記点検口１８ｈを前記蓋１９で閉じて、図３に示すように、この蓋１９の下端に形成した係止片部１９ａでドレンパン４２の下面を支えるものである。
【００２２】
本体部４３は、底面部の一側に一段高い熱交換器載置部４３ａと他側にドレン溜まり４３ｂを有するピット形状に形成されている。このドレン溜まり４３ｂに室内熱交換器２０の結露水を溜める。ドレン溜まり４３ｂに付設されたドレン孔４７は、ドレンパン４２が取り外されるときなどに、ドレン水を排水できるようになっている。
【００２３】
前記補強部材４４は、図６に示すようにドレンパン４２の二次空気側の側辺に沿って延在している。補強部材４４は、本体部４３の長手方向の長さよりも長くなっており、本体部４３にモールドした状態では、図５に示すように、両端部４４ａが本体部４３の長手方向の端部４３ｂからそれぞれ突出している。この補強部材４４の両端部には、外箱１１に取り付けられる取付部となっていて、この取付部４４ａには、ねじ等の締結具が挿入される取付孔４４ｂが形成されている。
【００２４】
補強部材４４には、図６に示すように、長手方向に延びる図面手前側の長辺が長手方向に沿って下側に折り曲げられて下向フランジ部４４ｃが形成されている。同様に、補強部材４４には、長手方向に延びる図面奥側の長辺が長手方向に沿って上側に折り曲げられて上向フランジ部４４ｄが形成されている。
また、下向フランジ部４４ｃには、図６に示すように、長手方向に沿って複数の孔４４ｅが間隔をおいて形成されている。この孔４４ｅは、本体部４３と補強部材４４とを一体成形するときに、発泡樹脂材が孔４４ｅの内部に入り込むようになっている。なお、複数の孔４４ｅは、不規則に並べて形成されていてもかまわない。
【００２５】
本発明の実施の形態に係るドレンパン４２によれば、本体部４３の長手方向の全長に亘って補強部材４４が一体成形されているので、中央部に力が作用したときに長手方向と直交する断面に生じる応力の一部を補強部材４４で受けることにより、ドレンパン４２の割れを生じ難くすることができる。また、補強部材４４に下向フランジ部４４ｃおよび上向フランジ部４４ｄが形成されているので、補強部材４４の長手方向に直交する断面の断面係数が大きくなり、曲げ強度を高めることができる。さらに、下向フランジ部４４ｄに複数の孔４４ｅを形成しているので、本体部４３と補強部材４４とを一体成形するときに、発泡樹脂材が孔４４ｅの内部に入り込むようになり、本体部４３と補強部材４４とをより強固に一体成形することができる。
【００２６】
以上、図面を参照して本発明の空気調和装置の実施形態を詳述してきたが、本発明は、上記の実施形態に限定されるものではなく、要旨を逸脱しない範囲内で種々に設計変更することができる。
また、上記実施形態では、一方向吹出型の空気調和装置に適用したが、本発明は二方向吹出型にも適用される。
【図面の簡単な説明】
【００２７】
【図１】本発明にかかる空気調和装置を下から視上げた斜視図である。
【図２】図１の空気調和装置の縦断正面図である。
【図３】空気調和装置を化粧パネルを取り外して視た図である。
【図４】さらにドレンパンを取り外して視た図である。
【図５】ドレンパンの斜視図である。
【図６】ドレンパンの補強部材の斜視図である。
【図７】仕切部材の斜視図である。
【図８】外箱内の仕切板の取り付け状態を見上げた図である。
【符号の説明】
【００２８】
１０  空気調和装置
１１  外箱
１５  熱交換器室
１６  機械室
１７  送風ファン
１８  仕切板
１８ｅ  フランジ
１８ｈ  点検口
１９  蓋
１９ａ  係止片部
２０  室内熱交換器
４２  ドレンパン
４５、４６  係止用金具
【図１】
0004693575.tif 000002
【図２】
0004693575.tif 000003
【図３】
0004693575.tif 000004
【図４】
0004693575.tif 000005
【図５】
0004693575.tif 000006
【図６】
0004693575.tif 000007
【図７】
0004693575.tif 000008
【図８】
0004693575.tif 000009